(57)【要約】【課題】  所定のフレーム間における露出のバラつきを抑制して、動画における不自然な明るさの変化を抑制する。【解決手段】  撮像素子を用いて得られた画像データから顔領域を検出する顔検出手段と、顔検出手段によって、画像データから顔領域が１つ以上検出された場合に、検出された顔領域に対応するエリアの重み付けを他のエリアよりも大きくして、画像データ全体の測光結果を求める第１の測光方式で測光が可能な測光手段と、第１の測光方式が選択された場合に、第１の測光方式に基づいて取得される動画における各フレーム間の露出の変化が緩やかとなるように、露出制御を行う露出制御手段と、を有することを特徴とする構成とした。【選択図】  図３
2019110402.tif 000002
【特許請求の範囲】
【請求項１】
被写体を撮像して画像データを出力する撮像素子と、
前記撮像素子を用いて得られた画像データから顔領域を検出する顔検出手段と、
前記顔検出手段によって、前記画像データから顔領域が１つ以上検出された場合に、前記検出された顔領域に対応するエリアの重み付けを他のエリアよりも大きくして、前記画像データ全体の測光結果を求める第１の測光方式で測光が可能な測光手段と、
前記測光手段により前記第１の測光方式が選択された場合に、第１の測光方式に基づいて取得される動画における各フレーム間の露出の変化が緩やかとなるように、露出制御を行う露出制御手段と、を有することを特徴とする撮像装置。
【請求項２】
前記露出制御手段は、前記測光手段によって得られた測光結果に応じて、動画を構成する第１のフレームの露出制御の目標値を算出し、当該目標値に基づいて露出制御を行うことを特徴とする請求項１に記載の撮像装置。
【請求項３】
前記測光手段は、前記撮像素子を用いて得られた画像データを複数のエリアに分割し、当該複数のエリアのうち、前記顔検出手段により検出された顔領域に対応するエリアを測光した第１の輝度値と、前記顔領域に対応するエリアを含む前記画像データ全体を測光した第２輝度値とを算出でき、
前記第１の測光方式は、少なくとも前記第１のフレームと当該第１のフレームの１つ前の第２のフレームにおけるそれぞれの前記第１の輝度値を加重平均した輝度値と、前記第１のフレームにおける前記第２の輝度値を加重平均することで、前記第１のフレームにおける前記測光結果を算出する測光方式である、ことを特徴とする請求項２に記載の撮像装置。
【請求項４】
前記測光手段は、前記撮像素子を用いて得られた画像データを複数のエリアに分割し、当該複数のエリアのうち、前記顔検出手段により検出された顔領域に対応するエリアの重み付けを他のエリアよりも大きくして前記画像データ全体を測光した第１の輝度値を算出でき、
前記第１の測光方式は、少なくとも前記第１のフレームと当該第１のフレームの１つ前の第２のフレームにおけるそれぞれの前記第１の輝度値を加重平均することで、前記第１のフレームにおける前記測光結果を算出する測光方式である、ことを特徴とする請求項２に記載の撮像装置。
【請求項５】
前記測光手段は、前記撮像素子を用いて得られた画像データを複数のエリアに分割し、当該複数のエリアのうち、前記顔検出手段により検出された顔領域に対応するエリアを測光した第１の輝度値を算出でき、
前記第１の測光方式は、前記第１のフレームと当該第１のフレームの１つ前の第２のフレームにおけるそれぞれの前記第１の輝度値を加重平均することで、前記第１のフレームにおける前記測光結果を算出する測光方式である、ことを特徴とする請求項２に記載の撮像装置。
【請求項６】
被写体を撮像して画像データを出力する撮像素子を備えた撮像装置の制御方法であって、
前記撮像素子を用いて得られた画像データから顔領域を検出する顔検出工程と、
前記画像データから顔領域が１つ以上検出された場合に、前記検出された顔領域に対応するエリアの重み付けを他のエリアよりも大きくして、前記画像データ全体の測光結果を求める第１の測光方式で測光が可能な測光工程と、
前記第１の測光方式が行われた場合に、動画における各フレーム間の露出の変化が緩やかとなるように、露出制御を行う露出制御工程と、を有することを特徴とする撮像装置の制御方法。
【請求項７】
請求項６に記載の撮像装置の制御方法をコンピュータで実行させるためのコンピュータで読み取り可能なプログラム。
【発明の詳細な説明】
【技術分野】
【０００１】
本発明は、顔領域に係る測光結果に基づく露出制御が可能な撮像装置と、その制御方法およびプログラムに関する。
【背景技術】
【０００２】
従来、デジタルカメラなどの撮像装置においては、静止画および動画を撮影する際の測光方法として、例えば、取得された画像データ（以下、単に画像と称す）を分割し、各エリアの輝度値を算出した後にそれらを加算平均する手法が知られている。
【０００３】
また、動画撮影の際は、被写体の移動や撮影時の構図の変更に応じて頻繁に露出が変化するのを抑制するため、安定性を重視した露出制御が望まれる。このため、動画撮影の測光方法としては、画像の中央付近に重みを置きつつ比較的広い範囲を測光範囲とする所謂中央部重点平均測光（モード）という方法を採用することが多い。
【０００４】
また、近年は、画像から人物の顔領域を検知し、顔領域をフレーム毎に追尾する手法が用いられている。そして、動画撮影の際に顔領域が検知された場合は、測光方式を中央部重点平均測光から、顔領域における測光の重み付けを大きくする、顔評価測光（モード）に切り替える撮像装置が知られている。
【０００５】
しかしながら、人物の動き（例えば、顔が正面以外を向くなど）がある場合は、顔領域の検知結果が安定せず、顔領域を検知できるフレームと検知できないフレームがランダムに存在してしまう。このとき、顔領域が検出されたことに応じて顔評価測光を行い、顔領域が検出されない場合に中央部重点平均測光が行われると、測光方式の違いから測光結果が変化するため、フレーム間に明るさのちらつきが生じた不自然な動画が取得されてしまう。
【０００６】
特許文献１では、露出制御に顔領域が消失した場合に、所定の時間露出制御値を固定する技術について開示されている。
【先行技術文献】
【特許文献】
【０００７】
【特許文献１】特開２０１６−１２９２８７号公報
【発明の概要】
【発明が解決しようとする課題】
【０００８】
しかしながら、特許文献１の撮像装置では、顏領域が消失していないが、顏の向きが変化した場合などについては考慮されていない。例えば、顔の向きが正面から横向きに変化したことに応じて、顔領域に対応する測光エリアに占める髪の毛部分の割合が多くなるため、髪の毛部分の明るさにより測光結果が変化してしまうため、これに応じて露出も変化する。
【０００９】
また、測光範囲と顔領域の大きさとが一致しない場合は、測光範囲に占める顔領域の割合も一定ではないため。特に、測光範囲に対して顔領域が小さい場合は、顔領域以外の背景部分なども測光範囲に含まれる。この場合、背景部分のシーンが変化すると（例えば、人物の移動により、明るい空の背景から暗い建物の背景へと変化する場合など）、測光結果が変化し、これに応じて露出も変化する。
【００１０】
本発明の目的は、所定のフレーム間における露出のバラつきを抑制して、動画における不自然な明るさの変化を抑制することである。
【課題を解決するための手段】
【００１１】
上記課題を解決するために、本発明による撮像装置では、被写体を撮像して画像データを出力する撮像素子と、前記撮像素子を用いて得られた画像データから顔領域を検出する顔検出手段と、前記顔検出手段によって、前記画像データから顔領域が１つ以上検出された場合に、前記検出された顔領域に対応するエリアの重み付けを他のエリアよりも大きくして、前記画像データ全体の測光結果を求める第１の測光方式で測光が可能な測光手段と、前記測光手段により前記第１の測光方式が選択された場合に、第１の測光方式に基づいて取得される動画における各フレーム間の露出の変化が緩やかとなるように、露出制御を行う露出制御手段と、を有することを特徴とする。
【発明の効果】
【００１２】
本発明によれば、所定のフレーム間における露出のバラつきを抑制して、動画における不自然な明るさの変化を抑制することができる。
【図面の簡単な説明】
【００１３】
【図１】本発明の各実施形態の撮像装置に適用する撮像素子の構成例を概略的に示す図である。
【図２】本発明に係る課題について例示的に説明する図である。
【図３】本発明の第１実施形態に係る露出制御用の目標値である目標露出輝度値を算出する方法について例示的に説明する図である。
【図４】本発明の第２実施形態に係る被写体の輝度変化を例示的に説明する図である。
【図５】本発明の第２実施形態に係る露出制御用の目標値である目標露出輝度値を算出する方法について例示的に説明する図である。
【発明を実施するための形態】
【００１４】
以下、図面を参照して本発明の実施形態を説明する。
【００１５】
（カメラ１００の構成例）
図１は本発明の各実施形態の撮像装置の構成例を概略的に示す図である。以下、図１を参照して、本実施形態の撮像装置であるデジタルカメラ（以下単にカメラと称す）１００の基本的な構成例について説明する。
【００１６】
図１に図示するように、１０１は撮影シーケンスなどシステムを制御するためのカメラのマイクロコントローラ（カメラＭＰＵ）であり、カメラ１００における各種動作を統括的に制御する制御手段である。１０３は被写体からの反射光を電気信号に変換するＣＣＤやＣＭＯＳ等の電荷蓄積型の撮像素子である。１０２は撮像素子１０３を動作させるために必要なタイミング信号を発生するタイミング信号発生回路である。１０４は、撮像素子１０２から読み出されたアナログ画像データをデジタル画像データに変換するＡ／Ｄ変換器である。１０５はメモリの読み書きやメモリ１０６のリフレッシュ動作などを制御するためのメモリコントローラである。１０７は画像表示部であって、メモリ１０６に蓄えられた画像データを表示する画像表示手段である。１０８は画像データ等を記録する記録媒体とカメラ１００の内部ブロックとを接続するインターフェース部である。１０９はメモリカードやハードディスクなどの記録媒体であって、カメラ１００に着脱可能である、または／および固定されている。
【００１７】
モーター制御部１１０は、露出動作時にカメラＭＰＵ１０１からの指示（信号）に従って不図示のモーターを制御することにより、不図示のミラーのアップ・ダウン動作やシャッターのチャージ動作を行わせる。シャッター制御部１１１は、カメラＭＰＵ１０１からの制御（信号）に従って、不図示のシャッターを構成する先幕・後幕を動作させ、撮像素子１０３の露光時間を制御する。
【００１８】
測光部１１２は、撮像素子１０３からの出力された変換後のデジタル画像データを複数のエリアに分割し、各エリアの輝度値（測光結果）および画像全データ体の輝度値（測光結果）を算出する測光手段である。なお、本実施形態に係る測光手段は、顔領域の重み付け度合を他のエリアよりも大きくした顔評価測光方式（第１の測光方式）を選択できる。カメラＭＰＵ１０１は、この輝度値に基づいて、被写体を撮像する際の露出制御を実行する。すなわち、カメラＭＰＵ１０１は、本実施形態に係る露出制御手段である。具体的に、本実施形態の露出制御、ＡＰＥＸ単位に算出した被写体の輝度値に対して、Ａｖ値（絞り値）、Ｔｖ値（シャッタースピード）、Ｓｖ値（撮影感度、ＩＳＯ感度）等の露出パラメータの適切な組合せを演算する。顔検出部１１３は、撮像素子１０３から出力された変換後のデジタル画像データから、人物の顔領域を検出する顔検出手段である。顔領域の検出方法はどのようなものを採用してもよいが、本実施形態では、メモリ１０６に予め格納されている顏情報とのパターンマッチング法により顔領域を検出する構成を採用する。顔領域の検出結果はカメラＭＰＵ１０１に出力される。なお、画像データから顔領域が１つ以上検出された場合（すなわち画像データに複数の顔領域が存在する場合）は、顏領域の大きさや位置、向きなどに基づいて主たる顔領域を検出し、当該主たる顔領域に基づいて後述する顔評価測光が行われる。
【００１９】
レンズ制御部１１４は、不図示の撮影レンズ群に含まれる各種レンズや絞りの駆動制御を行い、撮影レンズ群に含まれるフォーカスレンズの焦点調節やズームレンズのズーム位置調整、絞り開口を制御するレンズ制御手段である。なお、撮影レンズ群は、カメラ１００と一体的に形成されていてもよいし、カメラ１００に設けられた不図示のマウント部に対して撮影レンズ群を着脱可能な所謂レンズ交換型であってもよい。
【００２０】
焦点検出部１１５は、ＡＦ（オートフォーカス）処理に用いる、被写体に対するデフォーカス量を検出する焦点検出手段である。姿勢検出部１１６は、例えば、不図示のジャイロセンサなどの出力に基づいて、重力方向と光軸を中心とした回転方向に対するカメラの傾きを検出する検出手段である。スイッチ操作部１１７は、カメラの操作部材であって、不図示のレリーズボタンの第１ストロークでＳＷ１がＯＮし、ＡＦ処理および測光動作が開始される。また、不図示のレリーズボタンの第２ストロークでＳＷ２がＯＮし、露出制御動作および撮像動作が開始される。なお、各動作はカメラＭＰＵ１０１によって制御される。
【００２１】
ストロボ制御部１１８は、内蔵ストロボ１１９および外部ストロボ１２０の発光制御行う発光制御手段である。なお、ストロボ制御部１１８は、発光パターン（プリ発光指示、本発光指示）や、本発光量の算出、内蔵ストロボ１１９と外部ストロボ１２０のどちらを使用するかの切り替え制御も行う。また、外部ストロボ１２０との通信はストロボ制御部１１８を介して行われる。
【００２２】
（第１実施形態）
次に図２、図３を用いて、本実施形態に係るカメラ１００の各動作について説明する。
【００２３】
まず、図２を参照して、本実施形態に係る課題についてその概略を説明する。図２は、本発明に係る課題について例示的に説明する図である。図２（ａ）、図２（ｂ）、図２（ｃ）のそれぞれは、動画撮影時の時間経過に伴って、明るさが異なる２つの背景領域に対する人物の相対的な位置が異なる各フレームを示している。なお、図２の各図においては、図中の左側が明るい背景（例えば、光が当たっている範囲）であり、画面の右側が暗い背景（例えば、光の当たっていない範囲）である。図中の人物は、測光フレーム１、測光フレーム２、測光フレーム３の順に移動しているものとする。
【００２４】
なお、図２の各図に図示された、各測光フレームの分割領域は測光枠を示しており、本実施形態では例示的に、画像（フレーム）を縦８、横１０に分割した各領域を測光枠とする。図２の各図における図中の太枠部分は、検出された顔領域が含まれる測光枠（顏部分測光エリア）を示している。顔評価測光では、この顔部分測光エリアに対応する輝度値の重みを大きくして測光演算を行う。
【００２５】
図２（ａ）に図示するように、測光フレーム１に対応するタイミングでは、顔部分測光エリアに明るい背景のみが含まれているが、図２（ｂ）に図示するように、測光フレーム２に対応するタイミングでは、暗い背景が顔部分測光エリアに含まれる。このとき、暗い背景が含まれることによって、測光フレーム２の顔部分測光エリアの輝度値が測光フレーム１に比べて低い（暗い）値となる。そして、顔部分測光エリアの輝度値が下がったことにより、測光フレーム２全体の輝度値（測光結果）も、測光フレーム１より低い（暗い）値となり、顏領域の明るさの変化に依らずに画像全体を明るくするように露出制御が行われる。
【００２６】
さらに、図２（ｃ）に図示するように、測光フレーム３では、人物が移動することで、再び測光フレーム１と同様に、顔部分測光エリアに明るい背景のみが含まれる状態となる。このとき、測光フレーム３で算出される顔部分測光エリアの輝度値は、測光フレーム２よりも高い（明るい）値となる。この顔部分測光エリアの輝度値の変化により、再び画像全体を暗くするように露出制御が行われる。
【００２７】
動画の品位を保つためにはフレーム間における明るさの変化が大きくなく、頻繁な明るさの変化が行らないことが望ましい。しかしながら、上述したように、被写体に大きな輝度変化がない場合であっても、顔領域の移動により顏部分測光エリアの輝度値が変化したこと応じて、頻繁に露出が変更されるため、動画における各画像（フレーム）間の明るさが不自然に変化してしまう。そこで、本実施形態では、この問題を解決するために、動画における各画像（フレーム）間を取得する際の露出の変化が緩やかとなるように露出制御を行う。以下、その詳細について説明する。
【００２８】
図３は、本発明の第１実施形態に係る露出制御用の目標値である目標露出輝度値を算出する方法について例示的に説明する図である。なお、図３に図示する各測光フレームは、図２に図示した各図の測光フレームと略同一のタイミングを表している。例えば、測光フレーム２の目標露出輝度値を算出する場合は、時間的に１つ前のフレーム（測光フレーム１）における顔部分測光エリアの輝度値と、現在のフレーム（測光フレーム２）における顔部分測光エリアの輝度値との平均値を算出する。すなわち、動画を構成する時間的に連続したフレーム間で輝度値を平滑化する。このとき、測光フレーム１、２の顔部分測光エリアの輝度値をそれぞれ、Ｙｆａｃｅ１、Ｙｆａｃｅ２とし、全測光エリアの輝度値をＹａｌｌ２とし、顔部分測光エリアの輝度値と、全測光エリアの輝度値の加重割合を１：１とする。この場合、測光フレーム２の目標露出輝度値Ｅ２は、以下の式（１）により求めることができる。
Ｅ２  ＝  （（（Ｙｆａｃｅ１  ＋  Ｙｆａｃｅ２）／２）＋Ｙａｌｌ２）／２・・・（１）
【００２９】
同様の手順で、測光フレーム３の目標露出輝度値Ｅ３を算出するには、測光フレーム３の顔部分測光エリアの輝度値をＹｆａｃｅ３、全測光エリアの輝度値をＹａｌｌ３、とすると、以下の式（２）により求めることができる。
Ｅ３  ＝  （（（Ｙｆａｃｅ２  ＋  Ｙｆａｃｅ３）／  ２）＋Ｙａｌｌ３）／  ２・・・（２）
【００３０】
図２、図３に図示するように、測光フレーム１の顔部分測光エリアと測光フレーム３の顔部分測光エリアにおいて、顔の背景は明るい部分のみとなっている、このため、Ｙｆａｃｅ１とＹｆａｃｅ３は近い値（明るさ）となる。さらに、測光フレーム２と測光フレーム３とでは、画面全体の明るさに大きな変化はないため、測光フレーム２の全測光エリアの輝度値Ｙａｌｌ２と、測光フレーム３の全測光エリアの輝度値Ｙａｌｌ３も近い値（明るさ）となる。Ｙｆａｃｅ１  ≒  Ｙｆａｃｅ２  であり、Ｙａｌｌ２  ≒  Ｙａｌｌ３  であることから、Ｅ２  ≒  Ｅ３となり、測光フレーム２と測光フレーム３のフレーム間の目標露出輝度値の変化が、従来の顔評価測光方式よりも緩やかになる。
【００３１】
以上、説明した例では、現在の顔部分測光エリアの輝度値と、１つ前のフレームにおける顔部分測光エリアの輝度値の平均値を算出したが、２つ以上の連続するフレーム間における顔部分測光エリアの輝度値の平均値を算出する構成であってもよい。例えば、測光フレーム２の目標露出輝度値Ｅ２を求める際に、１回前の測光時点での顔部分測光エリア輝度値Ｙｆａｃｅ１の他に、２回前の測光時点の顔部分測光エリア輝度値Ｙｆａｃｅ０も使用してもよい。この場合、顔部分測光エリアの輝度値を平滑化すると、輝度値の平均値は以下のような式（３）により求めることが出来る。
Ｅ２  ＝  （（（Ｙｆａｃｅ０  ＋  Ｙｆａｃｅ１  ＋  Ｙｆａｃｅ２）  ／  ３）  ＋  Ｙａｌｌ２）  ／  ２・・・（３）
【００３２】
また、上記の例において顔領域に対応する輝度値Ｙｆａｃｅ０、Ｙｆａｃｅ１、Ｙｆａｃｅ２のそれぞれに対して重み付けしてもよい。Ｙｆａｃｅ０の重みをＷ０、Ｙｆａｃｅ１の重みをＷ１、Ｙｆａｃｅ２の重みをＷ２とすると、測光フレーム２の目標露出輝度値Ｅ２は、以下の式（４）により求めることが出来る。
Ｅ２  ＝  （（（（Ｙｆａｃｅ０  ＊  Ｗ０）  ＋  （Ｙｆａｃｅ１  ＊  Ｗ１）  ＋  （Ｙｆａｃｅ２  ＊  Ｗ２））／  （Ｗ０  ＋  Ｗ１  ＋  Ｗ２））  ＋  Ｙａｌｌ２）  ／  ２・・・（４）
【００３３】
上述したように、本実施形態では、動画を構成する連続したフレーム（第２のフレームと第１のフレーム）間の顔領域に対応する測光エリアの輝度値の平均値を算出する。そして、本実施形態では、現在のフレーム（第１のフレーム）の画像データ全体の輝度値を算出し、当該画像データ全体の輝度値と前述した顔領域に係るフレーム間の平均値とを平均することで、現在のフレームの目標露出輝度値を算出する。この構成により、顏領域の移動による顏部分測光エリアの輝度値の変化に起因する画面全体の輝度値の変化度合が平滑化されて緩やかとなり、フレーム間における露出の変化を抑制することが出来る。換言すると、この構成により、動画における連続するフレーム間の露出の変化が緩やかになる。したがって、本実施形態に係る撮像装置は、この構成を採用することにより、動画における所定のフレーム間での露出のバラつきを抑制して、動画における不自然な明るさの変化を抑制することが出来る。
【００３４】
（第２実施形態）
以下、図４、図５を参照して本発明の第２実施形態について説明する。なお、カメラ１００の基本的な構成は、前述した第１実施形態と略同一であるので説明は省略し、カメラ１００の各部には同一の符号を付して説明する。本実施形態では、動画を構成するフレーム間において、顔部分測光エリアのうちの顔領域の輝度変化が小さく顔領域以外の測光エリアにおける輝度変化が大きい場合を例に説明する。この場合としては、例えば、図４に図示するように、顔領域の背後を黒色の自動車が横切る場合であって、連続するフレーム間で顔領域の輝度変化がない場合（測光フレーム１と測光フレーム２、測光フレーム２と測光フレーム３など）が該当する。このような場合、動画の品位が低下するのを防止するためには顔領域の明るさの変化が緩やかであることが望ましい。図４は、本発明の第２実施形態に係る被写体の輝度変化を例示的に説明する図であって、図４（ａ）、図４（ｂ）、図４（ｃ）、図４（ｄ）の順に時間が経過した様子を示している。
【００３５】
図５は、本発明の第２実施形態に係る露出制御用の目標値である目標露出輝度値を算出する方法について例示的に説明する図である。なお、図５に図示する各測光フレームは、図４に図示した各図の測光フレームと略同一のタイミングを表している。図５に図示するように、本実施形態では、測光フレーム２の目標露出輝度値を算出する場合、１つ前のフレーム（測光フレーム１）における全測光エリアの輝度値と、現在のフレーム（測光フレーム２）の全測光エリアの輝度値を用いる。なお、上述した全測光エリアの輝度値は、前述した第１実施形態と同様に、顔領域の輝度値の重み付けを大きくする顏評価測光により算出される。
【００３６】
図５（ｂ）に図示する場合、測光フレーム１の全測光エリアの輝度値をＹ１、測光フレーム２の全測光エリアの輝度値をＹ２、とし、測光フレーム１と２の加重割合を１：１とする。この場合、測光フレーム２の目標露出輝度値Ｅ２は、以下の式（５）により求めることができる。
Ｅ２  ＝  （（Ｙ１  ＋  Ｙ２）／２）・・・（５）
【００３７】
同様の手順で、測光フレーム３の目標露出輝度値Ｅ３は、測光フレーム３の全測光エリアの輝度値Ｙ３とすると、以下の式（６）により求めることができる。
Ｅ３  ＝  （（Ｙ２  ＋  Ｙ３）／  ２）・・・（６）
【００３８】
すなわち、本実施形態では、顏領域の重み付けを大きくして算出された全測光エリアの輝度値を連続するフレーム間で加重平均することで露出の変化を平滑化することが出来るため、連続するフレーム間における不自然な明るさの変化を抑制することが出来る。
【００３９】
なお、以上の説明では、現在のフレームの顔評価測光による全測光エリアの輝度値と、１つ前のフレームの顔評価測光による全測光エリアの輝度値との加重平均に基づいて現在のフレームの目標露出輝度値を算出したが、これに限定されるものではない。例えば、２つ以上の連続したフレーム間において、各フレームの顏評価測光の結果を平滑化する構成であってもよい。
【００４０】
また、図４に図示したような場合においては、顏領域の不自然な明るさの変化を抑制することを優先し、例えば、現在のフレームの顔部分測光エリアのみの輝度値と、１つ前のフレームの顔部分測光エリアのみの輝度値との加重平均する構成であってもよい。
【００４１】
また、測光フレーム１の全測光エリアの輝度値Ｙ１と測光フレーム２の全測光エリアの輝度値Ｙ２のそれぞれに対する重み付けを、他の測光エリアよりも大きくする構成であってもよい。例えば、Ｙ１の重みをＷ１、Ｙ２の重みをＷ２とした場合、測光フレーム２の目標露出輝度値Ｅ２は、以下の式（７）により求めることが出来る。
Ｅ２  ＝  （（Ｙｆａｃｅ１  ＊  Ｗ１）  ＋  （Ｙｆａｃｅ２  ＊  Ｗ２））  ／  （Ｗ１  ＋  Ｗ２）・・・（７）
【００４２】
以上、本発明の好ましい実施形態について説明したが、本発明はこれらに限定されず、その要旨の範囲内で種々の変形および変更が可能である。例えば、前述した実施形態では、カメラＭＰＵ１０１、メモリコントローラ１０５、メモリ１０６、その他の各制御部および検出部などが互いに連携して動作することで、カメラ１００の動作を制御する構成であったが、これに限定されるものではない。例えば、前述したようなカメラ１００における各動作に従ったコンピュータプログラムを予めメモリ１０６に格納しておき、該コンピュータプログラムをカメラＭＰＵ１０１などが実行することで、カメラ１００の動作を制御する構成であってもよい。
【００４３】
また、プログラムの機能を有していれば、オブジェクトコード、インタプリタにより実行されるプログラム、ＯＳに供給するスクリプトデータ等、プログラムの形態を問わない。また、プログラムを供給するための記録媒体としては、例えば、ハードディスク、磁気テープ等の磁気記録媒体、光／光磁気記録媒体でもあってもよい。
【００４４】
また、前述した実施形態では、本発明を実施する撮像装置の一例としてデジタルカメラを採用した場合について説明したが、これに限定されるものではない。例えば、デジタルビデオカメラやスマートフォンなどの可搬デバイスなどや、セキュリティカメラなど、デジタルカメラ以外の撮像装置を採用する構成であってもよい。
【００４５】
（その他の実施形態）
また本発明は、上述の実施形態の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現できる。また、１以上の機能を実現する回路（例えば、ＡＳＩＣ）によっても実現できる。
【符号の説明】
【００４６】
１０１  カメラＭＰＵ
１０３  撮像素子
１０６  メモリ
１０７  画像表示部
１１２  測光部
１１３  顔検出部
【図１】
2019110402.tif 000003
【図２】
2019110402.tif 000004
【図３】
2019110402.tif 000005
【図４】
2019110402.tif 000006
【図５】
2019110402.tif 000007